(57)【要約】【課題】安定して、しかも安全に移動できる使い勝手のよい衣類プレス装置を提供する。【解決手段】固定板１ａと、固定板１ａに一端が回動自在に連結された可動板２と、固定板１ａと可動板２のいずれか一方に配置された発熱体５と、可動板２と固定板１ａとの間に衣類を挟持した状態に保持するロック装置１１と、固定板１ａを略垂直方向に支持すると共に固定板１ａの下端から前面側と背面側へ突出する架台４と、架台４の背面側端部に回転自在に軸支されたキャスター１４を設け、架台４の前面側への突出長さを背面側への突出長さより大きく設定したもので、移動時に、万一可動板２のロック装置１１による保持が不完全でも、可動板２が上側に位置するので、勝手に開くことがなく安全に移動や運搬できるともに、架台４の前面側の突出長さが長いので、立位状態で可動板２を開けた時も安定性に優れている。【選択図】図１
2005224273.tif 000002
【特許請求の範囲】
【請求項１】
固定板と、前記固定板に一端が回動自在に連結された可動板と、前記固定板と前記可動板のいずれか一方に配置された発熱体と、前記可動板と前記固定板との間に衣類を挟持した状態に保持するロック装置と、前記固定板を略垂直方向に支持すると共に前記固定板の下端から前記可動板を配設した前面側と背面側へ突出する架台と、前記架台の背面側端部に回転自在に軸支されたキャスターを設け、前記架台の前面側への突出長さを背面側への突出長さより大きく設定した衣類プレス装置。
【請求項２】
キャスターを、架台から設置面方向及び後方に所定量突出させた請求項１記載の衣類プレス装置。
【請求項３】
固定板の上部にハンドルを設けた請求項１または２記載の衣類プレス装置。
【発明の詳細な説明】
【技術分野】
【０００１】
本発明は衣類等を挟圧加熱して整形する衣類プレス装置に関するものである。
【背景技術】
【０００２】
従来の、この種の衣類プレス装置について、図５を用いて説明する。
【０００３】
図において、衣類プレス装置は、ヒータ２１を有する固定板２２と、前記固定板２２の下端に一端が回動自在に連結され、かつ、前記固定板２２と対向する加圧面側にクッション体２３を有すると共に前記固定板２２から離れる方向へ傾斜させる可動板２４と、前記可動板２４と前記固定板２２との間に衣類などを挟圧した状態に保持するロック装置２５と、前記固定板２２を鉛直方向に支持するとともに、前記固定板２２の下端から前記可動板２４を配設した前面側と背面側へ突出する架台２６と、下端を前記架台２６の設置面より所定量上方に配置するとともに、同架台２６から前方へ突出させて設けたキャスター２７とを具備し、前記架台２６の前面への突出長さを背面側への突出長さより大きくするとともに、前記キャスター２７を架台の前面側にのみ設けたものである（例えば、特許文献１参照）。
【０００４】
架台２６は、ズボンやパンツ等長い衣類もプレスできるように固定板２２を十分な高さにする必要から、設置時にこれを安定して支持するためのものである。また、使用時は前記固定板２６に回動自在に取り付けられた可動板２４を、固定板２２から離反する方向、即ち前面側に傾斜させるため、架台２６の前面側が、背面側に比べて長く設定され、使用時の安定を高めるようにしている。
【０００５】
また、この種の衣類プレス装置は、合板などを使用するので、本体重量が比較的重く、架台２６も大きいので、移動や運搬を容易にするために、キャスター２７を架台２６に設けている。
【特許文献１】特許第３０７０３６３号公報
【発明の開示】
【発明が解決しようとする課題】
【０００６】
しかしながら、従来の構造のものでは、可動板２４の開く方向である前面側にキャスター２７が設けられているので、衣類プレス装置を前側に傾斜させて移動させる際、固定板２２と可動板２４のロック装置２５による固定が万が一不完全なままだと、下側になった可動板２４が何かの弾みで開くなどの課題があった。
【０００７】
また、キャスター２７を使用して移動を行う場合、キャスター２７が衣類プレス装置前面側にあるので、キャスター２７を接地させるため衣類プレス装置を前面側に傾斜させる必要があるが、架台２６の前面側は、背面側に比べて長く設定されているので、キャスター２７を接地させるためには、大きく傾ける必要があり非常に不安定であった。
【０００８】
また、架台２６を軽量化するために、一般的に樹脂成形部品とするが、背面側に比べて前面側を長く設定しているので、相当に補強を行っても、弾性によりグラグラするなど不安定となり使い勝手が悪いという課題があった。
【０００９】
さらに、従来の衣類プレス装置には握るところが特に確保されていないので、移動時に不意に手が滑るなどして、衣類プレス装置を転倒させてしまい、破損するなどの課題もあった。
【００１０】
本発明は、上記課題を解決するもので、固定板と可動板がロック装置により万一十分に保持されていない場合でも、安全に、しかも安定して運びやすい衣類プレス装置を提供することを目的としている。
【課題を解決するための手段】
【００１１】
前記従来の課題を解決するために、本発明の衣類プレス装置は、固定板と、前記固定板に一端が回動自在に連結された可動板と、前記固定板と前記可動板のいずれか一方に配置された発熱体と、前記可動板と前記固定板との間に衣類を挟持した状態に保持するロック装置と、前記固定板を略垂直方向に支持すると共に前記固定板の下端から前記可動板を配設した前面側と背面側へ突出する架台と、前記架台の背面側端部に回転自在に軸支されたキャスターを設け、前記架台の前面側への突出長さを背面側への突出長さより大きく設定したもので、移動時に、万一前記可動板のロック装置によるロックが不完全でも、可動板が上側に位置するので、勝手に開くことがなく安全に移動や運搬できるともに、前記架台の前面側の突出長さが長いので、立位状態で可動板を開けた時も安定性に優れている。さらに、移動時に架台の突出長さが短い側である背面側に傾斜させるのでグラグラし難く安定よく快適に移動、運搬ができる。
【発明の効果】
【００１２】
本発明の衣類プレス装置は、移動時にキャスターを設けた背面側に傾斜させるので、可動板が勝手に開くことがなく安全であると共に、架台の突出長さが短い側である背面側に傾斜させるのでグラグラし難く、安定よく快適に移動や運搬できる。
【発明を実施するための最良の形態】
【００１３】
第１の発明は、固定板と、前記固定板に一端が回動自在に連結された可動板と、前記固定板と前記可動板のいずれか一方に配置された発熱体と、前記可動板と前記固定板との間に衣類を挟持した状態に保持するロック装置と、前記固定板を略垂直方向に支持すると共に前記固定板の下端から前記可動板を配設した前面側と背面側へ突出する架台と、前記架台の背面側端部に回転自在に軸支されたキャスターを設け、前記架台の前面側への突出長さを背面側への突出長さより大きく設定したもので、移動時に、万一前記可動板のロック装置によるロックが不完全でも、可動板が上側に位置するので、勝手に開くことがなく安全に移動や運搬できるともに、前記架台の前面側の突出長さが長いので、立位状態で可動板を開けて時も安定性に優れている。さらに、移動時に架台の突出長さが短い側である背面側に傾斜させるのでグラグラし難く安定よく快適に移動、運搬ができる。
【００１４】
第２の発明は、特に、第１の発明のキャスターを、架台から設置面方向及び後方に所定量突出させたもので、カーペットを敷いた床上等で移動させる際に架台の端部が引っ掛ることなくスムーズに移動や運搬ができる。
【００１５】
第３の発明は、特に、第１又は第２の発明の固定板の上部にハンドルを設けたもので、移動時に衣類プレス装置を確実に保持できるので、衣類プレス装置を引いたり押したりするときに手が滑り転倒させたりなどしての破損もなくなる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における衣類プレス装置の側面図、図２は、同衣類プレス装置の部分側面図、図３は、同衣類プレス装置を上面より見た図、図４は、同衣類プレス装置の移動時の様子を示す側面図である。
【００１８】
図１〜４において、衣類プレス装置１には、ズボンなどの衣類（図示せず）を挟圧する一対の固定板１ａ及び可動板２が対向して設けられ、固定板１ａは、固定板１ａに取り付けたパイプ３により下端を架台４に固定し略垂直に立設するとともに、その内面側には箔状の発熱体５を有した発泡ポリウレタンなどからなるクッション体６が設けてあり、発熱体５はクッション体６の加圧面側に配設し、挟圧した衣類の加熱が効率よく行えるようにしている。
【００１９】
固定板１ａは、合板またはパーチクルボード等の木材加工品で作られている。発熱体５とクッション体６は摩擦抵抗が少なくすべりの良い、ポリエステルなど薄い布地からなるカバー７で覆われており、このカバー７の周囲は固定部材８で固定板１ａに取り付けられている。可動板２は、熱強化ガラスで構成され、ヒンジ装置９により固定板１ａの下端と回動自在に連結され、固定板１ａとで衣類を挟圧できるようにされている。
【００２０】
１０は保護体で、ゴムないしはエラストマを材料とし、断面形状を略コ字状に形成してあり、可動板２の周縁部を三方向から包囲するように設けられている。
【００２１】
１１は固定板１ａと可動板２の間に衣類を挟圧した状態に保持するロック装置で、立設した固定板１ａの背面に回動自在に設けたレバー１２と、可動板２に設けられレバー１２を係止する係止部１３から構成され、レバー１２を係止部１３に係止することによって可動板２と固定板１ａを挟圧状態に保持すると共にロックすることができる。なお、係止部１３は、可動板２に金具等（図示せず）により取り付けられてある。
【００２２】
架台４は、前方に可動板２が開くので突出長さを背面側より長くして、可動板２を開いた場合でも安定性を確保している。また、架台４の背面側最端部にはキャスター１４を配設している。キャスター１４は、架台４より後方に１０ｍｍ（ａ寸法）、設置面側に５ｍｍ（ｂ寸法）突出している。また、架台４の前面側には、接地部１５が設けられており、その高さは５ｍｍ（ｃ寸法）に設計されている。
【００２３】
また、固定板１の上方背面側には、衣類の加熱時間を制御するタイマー（図示せず）が内設された表示操作部１６があり、その背面にハンドル１７を突出させて設けている。
【００２４】
上記構成における衣類プレス装置の動作、作用について説明する。
【００２５】
可動板２を固定板１ａから離れる方向へ回動させて、衣類等をこの固定板１ａと可動板２の間にセットし、ロック装置１１のレバー１２を係止部１３に係止するように操作して、衣類等（ズボン）の裾部を挟持するように可動板２を固定板１ａ側へ回動させて閉じる。
【００２６】
そして、電源プラグ（図示せず）を家庭用コンセントに挿入し、表示操作部１６の図示しないスイッチをオンして通電を開始する。通電の開始により発熱体５は発熱し、衣類を挟圧加熱する。発熱体５の温度は、サーモスタット（図示せず）により、所定の温度に温度調整される。タイマーで予め設定された時間になると、通電がオフされ衣類プレスは完了する。衣類プレスが完了すると、作業者は、可動板２を固定板１ａより開き、衣類を取り出す。そして、再び可動板２を固定板１ａへ閉じて、ロック装置１１にて固定板１ａと可動板２を固定し、電源プラグをコンセントより抜く。
【００２７】
次に、衣類プレス装置１を移動させる場合について説明する。
【００２８】
通常、衣類プレスが完了し、可動板２と固定板１ａが、ロック装置１１により開かないように固定された状態で、固定板１ａの背面上部にあるハンドル１７を握り、背面側に傾斜させる。このとき、固定板１ａを背面側に傾斜させて移動させるので、万が一ロック装置１１による可動板２と固定板１ａの固定が不十分であっても、傾斜時に可動板２が開いてしまうようなことはなく安全である。
【００２９】
また、衣類プレス装置１は、図４のように、固定板１ａを背面側に傾斜させることにより、架台４の背面側に設けられたキャスター１４によってのみ設置面（床）と接触することとなる。キャスター１４は、架台４より背面側に１０ｍｍ（ａ寸法）、設置面側に５ｍｍ（ｂ寸法）突出しているので、大きく傾斜させなくとも容易に、接地させることができる。また、接地したキャスター１４は、スムーズに回動するように設計されているので、この状態で、衣類プレス装置１を容易に移動させることができる。
【００３０】
また、キャスター１４は架台４より背面側に１０ｍｍ（ａ寸法）、設置面側に５ｍｍ（ｂ寸法）突出していることにより、ホテルなどのカーペットが敷かれた床においても、架台４の端面が容易に引っ掛ることなく、快適に移動させることができる。なお、キャスター１４の設置面側の突出は架台４の接地部１５の高さと同じ５ｍｍ（ｃ寸法）に設定しており、通常の設置状態では、接地部１５が接地しているので、衣類プレス装置１が床面上を容易に移動することはない。
【００３１】
また、移動時に背面最上部にあるハンドル１７を持ち引けば、手が滑って衣類プレスを転倒させ破損させることなく、移動が非常に快適で使い勝手がよい。
【００３２】
なお、上記実施の形態では、箔状の発熱体５を有した発泡ポリウレタンなどからなるクッション体６を、固定板１ａの内面に設けたが、可動板２の内面に設けても良い。
【００３３】
また、上記実施の形態では、表示操作部１６の背面にハンドル１７を設けたが、特にこれに制限されるものではなく、表示操作部１６が無いものや、それが他の部分に配置されている場合は、ハンドル１７を固定板１ａの上端に設けても良い。
【産業上の利用可能性】
【００３４】
以上のように、本発明にかかる衣類プレス装置は、移動時にキャスターを設けた背面側に傾斜させるので、可動板が勝手に開くことがなく安全であると共に、架台の突出長さが短い側である背面側に傾斜させるのでグラグラし難く、安定よく快適に移動できるので、衣類プレス装置、電気ヒータ等縦長でしかも床面上での移動を必要とする各種装置、機器に適用できる。
【図面の簡単な説明】
【００３５】
【図１】本発明の実施の形態１における衣類プレス装置の側面図
【図２】同衣類プレス装置の部分側面図
【図３】同衣類プレス装置を上面より見た図
【図４】同衣類プレス装置の移動時の様子を示す側面図
【図５】従来の衣類プレス装置の側面図
【符号の説明】
【００３６】
１  衣類プレス装置
１ａ  固定板
２  可動板
４  架台
５  発熱体
１１  ロック装置
１４  キャスター
１７  ハンドル
【図１】
2005224273.tif 000003
【図２】
2005224273.tif 000004
【図３】
2005224273.tif 000005
【図４】
2005224273.tif 000006
【図５】
2005224273.tif 000007